(57)【要約】撹拌器を改善する。撹拌器は、挿入時に内方に屈曲または湾曲し、さらにまたボトルの首部を通過すると拡張するブレードを有する側部を有する中心体を有する。側部は細長く、ミキサーがボトル内の配向を有することを可能にする。この配向によって、ミキサーの浮力が、典型的には、液体の表面上に浮かぶ粉末または果実を砕くことを可能にする。側部要素は、果実を切り分けかつ粉砕して材料（複数可）を混ぜ合わせることができる。ミキサーの保持具またはケースによって、ミキサーの容器を乾燥させ、さらに、ミキサーから集水できる。取り外しフックによって、ユーザは、端部または側部要素のうちの１つにひっかかるようにすることができる。ミキサーの側部屈曲要素は、内方に屈曲してミキサーをボトルの首部から外に通過させるようにする。【選択図】図１
2021511898.tif 000002
【特許請求の範囲】
【請求項１】
細長本体を含み、
前記細長本体は複数のブレードから形成され、前記複数のブレードはボトルの首部を通過するために内方に屈曲するように構成され、前記複数のブレードは、回転運動が前記ボトル内の流体に与えられる時、前記細長本体の中心体の周りを回転するように構成される
ことを特徴とするスポーツまたはウォーターボトル用ミキサー。
【請求項２】
前記細長本体は、前記細長本体の一端または両端から延在するつまみ上に少なくとも１つの孔を含む
請求項１に記載のスポーツまたはウォーターボトル用ミキサー。
【請求項３】
前記少なくとも１つの孔は、フックが、前記少なくとも１つの孔に嵌合して、前記ボトル内から前記細長本体を取り外しできるようにするように構成される
請求項２に記載のスポーツまたはウォーターボトル用ミキサー。
【請求項４】
細長シャフト上のフックをさらに含む
請求項１に記載のスポーツまたはウォーターボトル用ミキサー。
【請求項５】
前記フックは、前記細長本体上で嵌合することによって、前記ブレードは前記ボトルから前記細長本体を引き出すために内方に屈曲するように構成される
請求項４に記載のスポーツまたはウォーターボトル用ミキサー。
【請求項６】
前記ブレードの少なくとも１つは、前記細長本体の外方に延在するリブを有する
請求項１に記載のスポーツまたはウォーターボトル用ミキサー。
【請求項７】
前記ブレードの少なくとも１つは、前記細長本体内に延在するリブを有する
請求項１に記載のスポーツまたはウォーターボトル用ミキサー。
【請求項８】
前記ボトル内の前記細長本体の回転によって、前記ボトル内の、粉末、固体、果実、および半固体を混ぜ合わせかつ粉砕する
請求項１に記載のスポーツまたはウォーターボトル用ミキサー。
【請求項９】
前記細長本体の格納用筐体をさらに含む
請求項１に記載のスポーツまたはウォーターボトル用ミキサー。
【請求項１０】
前記筐体は、前記ボトルにおける使用のためのある分量の粉末用の格納領域をさらに含む
請求項９に記載のスポーツまたはウォーターボトル用ミキサー。
【請求項１１】
前記筐体は細長シャフト上のフック用の格納領域をさらに含む
請求項９に記載のスポーツまたはウォーターボトル用ミキサー。
【請求項１２】
前記筐体は注入漏斗を有する
請求項９に記載のスポーツまたはウォーターボトル用ミキサー。
【請求項１３】
前記細長本体は、反転しかつ共に接続される２つの同一の部品の組立品から形成される
請求項１に記載のスポーツまたはウォーターボトル用ミキサー。
【請求項１４】
前記細長本体は少なくとも４つのブレードを有する
請求項１に記載のスポーツまたはウォーターボトル用ミキサー。
【請求項１５】
前記細長本体は、前記細長本体内の移動が抑制されないバラストをさらに含む
請求項１に記載のスポーツまたはウォーターボトル用ミキサー。
【請求項１６】
前記バラストは、前記細長本体の少なくとも一部分をある水位の上面に浮かせることを可能にする密度を有する
請求項１５に記載のスポーツまたはウォーターボトル用ミキサー。
【請求項１７】
前記細長本体は１以上の密度を有する
請求項１に記載のスポーツまたはウォーターボトル用ミキサー。
【請求項１８】
前記細長本体は１以下の密度を有する
請求項１に記載のスポーツまたはウォーターボトル用ミキサー。
【請求項１９】
前記複数のブレードは、細長い前記端部の間に延在する螺旋または曲線状構成で構成される
請求項１に記載のスポーツまたはウォーターボトル用ミキサー。
【請求項２０】
前記ボトルは、前記複数のブレードの外径より狭い注出口を有するユーザ提供ボトルである
請求項１に記載のスポーツまたはウォーターボトル用ミキサー。
【発明の詳細な説明】
【技術分野】
【０００１】
関連出願の相互参照
本出願は、２０１８年６月１４日に出願された米国特許仮出願第６２／６８５，２２６号、４月１６日に出願された米国特許仮出願第６２／６５８，３００号、および２０１８年２月５日に出願された米国特許仮出願第６２／６２６，３２０号の利益を主張するものであり、これら出願の内容全体は参照により本明細書に明示的に組み込まれる。
【０００２】
本発明は、スポーツ飲料を混合させるための撹拌器の改善に関する。より詳細には、本発明のスポーツまたはウォーターボトル用のミキサーは、ウォーターボトルに挿入すると変形する変形可能な形状である。混合または撹拌後、ボトルにフックが挿入され、撹拌器は、ボトルから引き出される際に変形する。
【背景技術】
【０００３】
一般的なウォーターボトルおよびスポーツまたはウォーターボトルの使用は人気が出てきており、人々は、大量のボトルの水を使用し始めており、運動するまたは水源から離れる時に水または他の飲料を持って行く。これらの人々は、水または飲料に他の粉末状果実または他の材料を追加する時が多い。これらの追加された粉末または材料は、流体と混ぜ合わせるために混合させなければならない。ボトルを単に振動させると、粉末は流体に液化しないことが多く、多くの液果または果実添加物は、風味を出し、かつどろどろにして液体にするために、何らかの粉砕を必要とする。
【０００４】
いくつかの特許および／または刊行物では、これらの問題に対処している。この／これらの問題に対処しようとする、代表的な特許および／または刊行物の例は、以下に特定されかつ論じられている。
【０００５】
Ｒｏｂｅｒｔ  Ｄ．Ｖｅｒｎｏｎによる２００８年１０月２８日に発行された特許文献１は、「Ｓｈａｋｅｒ  ｗｉｔｈ  Ｒｅｃｉｐｒｏｃａｔｉｎｇ  Ａｇｉｔａｔｏｒ」という名称のものである。この特許は、混合液体容器を含む、往復動撹拌器を有する手持ち式シェーカーであって、混合液体容器は、液体容器の一端から液体容器の他端に及ぶガイドロッドを動作可能に含有する、手持ち式シェーカーを開示している。シェーカーはまた、液体容器の一端から他端まで動作可能に往復運動することによって、液体容器内に含有される流体を混合させる中空撹拌フレームを使用する。この特許品は、撹拌器が清掃のために取り外し可能であるように大きい開口部を必要とする。
【０００６】
２０１７年８月８日に発行された特許文献２は、「Ｄｅｖｉｃｅ，ａｒｒａｎｇｅｍｅｎｔ  ａｎｄ  ｍｅｔｈｏｄ  ｆｏｒ  ｔｅｘｔｕｒｉｚｉｎｇ  ａｎｄ  ａｅｒａｔｉｎｇ  ｄｒｉｎｋｓ」という名称のものである。この特許は、振り混ぜ容器と、容器の飲料中に置かれる装置とを含む、飲料を振り混ぜるための配置構成を開示している。容器を振動させる時、装置は飲料に対して口当たりを高めかつ空気を入れる。装置は、食品グレードの熱的に絶縁するエラストマー材料で構成される三次元体を有し、再利用可能である。容器はまた、装置の挿入および取り外しのために大きい開口部を必要とする。
【０００７】
Ｈｕｂｅｒｔ  Ｒｉｃｈａｒｄ  Ｋｅｅｌ，ＩＩＩによる特許文献３は、２０１４年１１月２０日に公告され、「Ａｇｉｔａｔｏｒ，Ｓｙｓｔｅｍ，ａｎｄ  Ｍｅｔｈｏｄ  ｆｏｒ  Ｕｓｉｎｇ  ｔｈｅ  Ｓａｍｅ」という名称のものである。この刊行物は、中心軸および非対称重量分布を有する本体と、それぞれが、シャフトおよび終端を有する複数のとげ状突起とを含む撹拌器であって、シャフトは本体から滑らかに移行し、本体およびとげ状突起は、撹拌器を、粉末および液体媒体を含有する液体容器において振動させる時に混合を高めるように適応される。撹拌器は、大きなカップ状開口部を通して挿入されなければならない。
【０００８】
Ｄａｖｉｄ  Ａ．Ａｌｉｂｅｒｔｉによる特許文献４は、２０１４年８月２１日に公告され、「Ｄｒｉｎｋ  ｍｉｘｅｒ  ｂｏｔｔｌｅ  ａｎｄ  ａｇｉｔａｔｏｒ」という名称のものである。この刊行物は、液体容器および撹拌器を含むシェーカーを開示している。液体容器は器壁を含む。円形底部は、器壁を閉ざし、この場合、底部の境界は、底部が器壁から外方にドーム状になるように移行するように液体容器の中心軸に向かって放射状に形成される。この刊行物はまた、開口部を通して適合するように歪ませる要素を有さず、小さなボトル開口部を通して置くことができない。
【０００９】
必要とされているのは、一般的なウォーターまたはスポーツボトルに対して挿入できかつ引っ張り出すことができ、かつボトルから引っ張り出すことができる、スポーツまたはウォーターボトル用ミキサーである。ミキサーはまた、ボトルに追加可能であるある分量の粉末を含むように容器に入れられるものとする。提案された、スポーツボトル用ミキサーによって解決策が提供される。
【先行技術文献】
【特許文献】
【００１０】
【特許文献１】米国特許出願第７，４４１，９４１号
【特許文献２】米国特許出願第９，７２３，９５６号
【特許文献３】米国特許出願公開第２０１４０３４０９７９号
【特許文献４】米国特許出願公開第２０１４０２３３３４４号
【発明の概要】
【課題を解決するための手段】
【００１１】
スポーツまたはウォーターボトル用ミキサーの目的は、ミキサーが一般的なボトル開口部内に適合できるように屈曲する側部要素を有する中心体を有することである。ボトルウォーターのほとんどの開口部はかなり小さいため、撹拌器またはミキサーは、開口部に進入させるために歪ませてから、内部に一旦入ると拡張させなければならない。これは、挿入時に内方に屈曲または湾曲させた後、ボトルの首部を一旦通過すると拡張する２つ以上の屈曲ブレードによって最も良く成し遂げられる。
【００１２】
スポーツまたはウォーターボトル用ミキサーの目的は、ミキサーが、細長いフットボール形状を有することである。細長形状によって、ミキサーはボトル内で配向を有することができる。この配向によって、浮力が、典型的には、液体の表面上に浮かぶ粉末または果実を砕くようにミキサーを配向させることを可能にする。側部要素は、果実を切り分け、かつ粉砕して材料（複数可）を混ぜ合わせることができる。細長いフットボール形状は、混ぜ合わせることおよび撹拌することを高めるために、ボトルの側壁とこすり合わせることができる。
【００１３】
スポーツまたはウォーターボトル用ミキサーの別の目的は、任意の重みを含むことである。この重みによって、嵩を増して果実を圧砕し、かつこの重みを使用して、ミキサーの総密度を変えて、ミキサーを液体中により深く沈ませることができる。これはまた、空のボトルを振動させる必要なくボトルからミキサーを今後取り外すためにミキサーを所望の配向のままにするのに役立つ可能性がある。
【００１４】
スポーツまたはウォーターボトル用ミキサーの別の目的は、ミキサーの保持具またはケースを含むことである。保持具によって、ミキサーの容器を乾燥させ、さらに、ミキサーから集水できる。保持具はさらに、１杯または複数杯の粉末状エネルギー飲料混合物用の領域をさらに含むことができ、かつ、他の用具または付属品用の領域をさらに含むことができる。他の付属品は、果実を切り開くまたは外皮を取り除くためのナイフまたは他の物体とすることができる。
【００１５】
スポーツまたはウォーターボトル用ミキサーのさらなる別の目的は、ケースが取り外しフックを含むことである。取り外しフックによって、ユーザは、フックをボトルに挿入し、かつ端部または側部要素のうちの１つにひっかかるようにすることができる。ミキサーの側部屈曲要素は、内方に湾曲してミキサーがボトルの首部から外に通過するようにする。留められると、ミキサーはボトルから引っ張り出されて、ミキサーは、いずれの流体または残留物も取り除くために洗浄可能である。取り外しフックはまた、構成部品を清掃するために保持具と共に洗浄可能である。
【００１６】
本発明のさまざまな目的、特徴、態様、および利点は、同様の数表示は同様の構成要素を表す添付の図面と共に、本発明の好ましい実施形態の以下の詳細な説明からより明らかとなる。
【図面の簡単な説明】
【００１７】
【図１】内部バラストを有する、第１の好ましい実施形態におけるスポーツまたはウォーターボトル用ミキサーを示す図である。
【図２】内部バラストを有さない、第１の好ましい実施形態におけるスポーツまたはウォーターボトル用ミキサーを示す図である。
【図３】内部バラストを示す図である。
【図４】第２の好ましい実施形態におけるスポーツまたはウォーターボトル用ミキサーの分解組立図である。
【図５】バラストを有する、第２の好ましい実施形態におけるスポーツまたはウォーターボトル用ミキサーの組立図である。
【図６】バラストを有さない、第２の好ましい実施形態におけるスポーツまたはウォーターボトル用ミキサーの組立図である。
【図６Ｂ】端部孔がない一体型折り畳み式実施形態を示す図である。
【図７】第３の好ましい実施形態におけるスポーツまたはウォーターボトル用ミキサーの分解組立図である。
【図８】バラストを有する第３の好ましい実施形態におけるスポーツまたはウォーターボトル用ミキサーの組立図である。
【図９】第４の好ましい実施形態におけるスポーツまたはウォーターボトル用ミキサーの分解組立図である。
【図１０】バラストを有する第４の好ましい実施形態におけるスポーツまたはウォーターボトル用ミキサーの組立図である。
【図１１】第５の好ましい実施形態におけるスポーツまたはウォーターボトル用ミキサーの分解組立図である。
【図１２】バラストを有する第５の好ましい実施形態におけるスポーツまたはウォーターボトル用ミキサーの組立図である。
【図１３Ａ】折り畳み可能配向におけるミキサーの一実施形態を示す図である。
【図１３Ｂ】折り畳まれた状態の図１３Ａによる実施形態を示す図である。
【図１４】端部孔を有する完全体のミキサーを示す図である。
【図１５】平坦端部を有する完全体のミキサーを示す図である。
【図１６】ミキサーの筐体の分解組立図である。
【図１７】細長い渦巻き型実施形態で構成される撹拌器を示す図である。
【図１８】ボトルによる撹拌器の挿入および使用を示す図である。
【図１９】シェーカーカップの分解組立図である。
【図２０】図１９によるシェーカーカップの断面図である。
【発明を実施するための形態】
【００１８】
全般的に本明細書において、説明されかつ図面に示されるような、本発明の構成要素が、多種多様の種々の構成で配置かつ設計可能であることは、容易に理解される。よって、図面に表されるような、本発明のシステムおよび方法の実施形態の以下のより詳細な説明は、本発明の範囲を限定することを意図するものではなく、単に、本発明のさまざまな実施形態を代表するものである。本発明の示された実施形態は、全体を通して同様の部品が同様の数表示によって指定される図面を参照することによって良く理解される。
【００１９】
図１は、内部バラスト５０を有する第１の好ましい実施形態におけるスポーツまたはウォーターボトル用ミキサー撹拌器１９を示す。撹拌器１９のこの実施形態は、螺旋ブレード２１、２２、２３、２４、および２５によって組み立てられる。螺旋ブレードは、ボトルにおける粉末状添加物を混合させるように動作する。撹拌器１９の回転方向に応じて、撹拌器１９は、ボトル内で、流体内により深く駆動され得る、または流体の上面へと駆動され得る。駆動方向は、流体または空気中でのプロペラとしての回転に基づいている。ブレードはまた、液果などの果実を砕いて、風味を分布させかつどろどろにして流体にするための細断力をもたらすことができる。ブレードの断面は、鋭利な先端をもたらすようにさらに調節可能であり、撹拌器１９の中央内または中央外に流体を駆動することができる。この図では、バラスト５０は撹拌器１９に挿入される。バラストは、撹拌器１９を、容器の流体中により高く浮かせる、または流体または底部に沈ませるために撹拌器１９の浮力を変えることができる。撹拌器１９の外径７０は、一般的なウォーターボトルの開口部より大きい。
【００２０】
撹拌器１９を一般的なウォーターボトルに挿入するために、螺旋ブレード２１、２２、２３、２４、および２５は、撹拌器１９が一般的なボトルの開口部に押し込まれる際に屈曲する。撹拌器１９は一般的なウォーターボトルに適合するように構成されるが、撹拌器１９は、粉末または果実を混合させるために、クラス、カップ、または他の容器で使用可能である。バラスト５０の材料は、上記のミキサー撹拌器２０の少なくとも一部分を水体の上面より上に浮かせることができるように選択される。理想的な密度は約０．８〜１．５とすることができるが、バラスト５０およびミキサー撹拌器２０のアセンブリから所望される、所望の浮きまたは沈みに応じて、１．０を上回るまたは下回る他の密度も考えられる。
【００２１】
撹拌器１９のそれぞれの端部は、孔４０および４１をそれぞれ有するループ３０および３１を有する。撹拌器１９を抜き取るために、フックまたは他の用品は、一般的なボトルの首部に挿入され、フックは孔４０または４１に嵌合することで、撹拌器１９は、撹拌器１９の洗浄または清掃のためにウォーターボトル開口部から引き出し可能である。バラスト５０は、バラストが別個に清掃可能であるブレードからバラスト５０を押し出すことによって、撹拌器１９から取り外し可能である。
【００２２】
フックを使用することによる撹拌器１９の取り外しについて説明されているが、撹拌器１９が、ボトルを反転させ、かつ容器に振動を与えることで、撹拌器１９が変形してボトル開口部を通過することによって、取り外し可能であることも考えられる。
【００２３】
図２は、内部バラストを有さない、第１の好ましい実施形態におけるスポーツまたはウォーターボトル用ミキサー撹拌器２０を示す。バラストの使用または必要性は、ユーザの必要性および混合される材料に基づいて、個々に判断可能である。バラストがないと、流体は撹拌器２０をより容易に流れることができる。この図では、６つのブレード２１、２２、２３、２４、２５、および２６全てが螺旋状に示されている。６つのブレードが示されているが、わずか３つから６つよりもずっと多くのブレードが考えられる。最低３つのブレードを提供して回転中心を均衡化させる。螺旋状または曲線状のブレード（複数可）が回転中心の周りで対称性を維持するように単一のブレードまたは２つのブレードが使用可能であることがさらに考えられる。ミキサー撹拌器２０の材料は、上記のミキサー撹拌器２０の少なくとも一部分を、水体の上面より上に浮かせることができるように選択される。理想的な密度は約０．５〜０．９であり得るが、１．０を上回るまたは下回る他の密度が考えられる。
【００２４】
ループ３０および３１は、一般的なボトルの首部および端部開口部からの撹拌器２０の取り外しを可能にするために孔３０および３１と共に撹拌器２０の細長い端部にある。一般的なボトルが論じられているが、該ボトルは、撹拌器２０の外径より直径が大きい摂取用開口部または首部を有する、任意の、水、エネルギー飲料、炭酸、非炭酸、エネルギー飲料、またはその他の強化ボトルとすることができる。
【００２５】
図３は内部バラスト５０を示す。先に論じたように、内部バラスト５０はユーザの要件または要望に応じて任意に使用可能である。内部バラスト５０は、この図に示されるように、球体または立方体のような単純なものからより複雑な形状のものとすることができる。ここで示される内部バラスト５０は、撹拌器内で、撹拌器の周りで、および撹拌器を通して、液体、固体、粉末、および半固体が流れるように、混合および撹拌を高める複数のくぼみ５１、５２、５３、および５４を有する。ここで示される形状はまた、撹拌器内でこの配向を維持する細長形状である。丸形または他の形状は、撹拌器フレーム内の３つの回転方向全てにおいて自由に回転するように構成可能である。
【００２６】
図４は、第２の好ましい実施形態におけるスポーツまたはウォーターボトル用ミキサーの分解組立図を示し、図５は、バラストを有する、第２の好ましい実施形態におけるスポーツまたはウォーターボトル用ミキサーの組立図を示し、図６は、バラストを有さない、第２の好ましい実施形態におけるスポーツまたはウォーターボトル用ミキサーの組立図を示す。撹拌器のこの構成は、基本的に、２つの半部６０および６１から形成される６つのブレードを有し、それぞれの半部は３つのブレードをそれぞれ有する。この実施形態におけるバラストは、撹拌器内で自由に移動できる丸い球体８０である。ブレードは基本的に、２つのループ３２および３３から延在するように直線状である。２つのループのそれぞれは、２つの半部６０および６１を通って延在する孔４２および４３を有する。孔によって、撹拌器を、ボトルの開口部を通して引っ掛けかつ引っ張ることが可能である。この実施形態では、半部６０および６１は、分離可能であり、球体は取り外し可能であるため、撹拌器は、球体８０またはバラストがあってもなくても使用可能である。球体８０は丸い球体として示されているが、球体は、本明細書における他の図に示されるようにさまざまな形を取ることができる。球体８０は、球体を、撹拌器の上部で浮かせるまたは撹拌器の底部に沈ませることができるように、撹拌器フレームと異なる浮力を有することができる。
【００２７】
図６Ｂは、底部および上部からのヒンジ４８がミキサーの上部において楕円孔３９内に留められるつまみ８４を有する、端部孔がない一体型折り畳み式実施形態を示す。この実施形態では、ミキサーは、表面の全ての完全な清掃のために開放され得る。
【００２８】
図７は、第３の好ましい実施形態におけるスポーツまたはウォーターボトル用ミキサーの分解組立図を示し、図８は、バラストを有する第３の好ましい実施形態におけるスポーツまたはウォーターボトル用ミキサーの組立図を示す。撹拌器のこの構成はまた、２つの半部６５および６６から形成される６つのブレードを有し、それぞれの半部は３つのブレードをそれぞれ有する。この実施形態におけるバラストは、撹拌器内で上下に自由に移動することができる長円形シリンダー８１である。ブレードは、２つのつまみ３４および３５から延在するように基本的に直線状である。２つのループのそれぞれは、２つの半部６５および６６を通って延在する孔４６および４７を有する。孔によって、撹拌器はボトルの開口部を通して引っ掛けられかつ引っ張られることが可能である。この実施形態では、半部６５および６６は分離可能であり、球体は取り外されるため、撹拌器は、長円形シリンダー８１またはバラストと共にまたはこれなしで使用可能である。
【００２９】
バラスト８１は長円形シリンダーとして示されているが、シリンダーは本明細書における他の図に示されるようにさまざまな形を取ることができる。長円形シリンダー８１は、バラストを、撹拌器の上部で浮かせるまたは撹拌器の底部に沈ませることができるように、撹拌器フレームと異なる浮力を有することができる。この図は、２つの半部を共に維持し、かつ２つの半部６５および６６をより容易に分離可能にする孔４４および４５に適合させかつ設置するつまみ３４および３５を示す。
【００３０】
図９は、第４の好ましい実施形態におけるスポーツまたはウォーターボトル用ミキサーの分解組立図を示し、図１０は、第４の好ましい実施形態におけるスポーツまたはウォーターボトル用ミキサーの組立図を示す。この実施形態では、ミキサーの半部は同じものであり、片方の半部は、もう片方の半部に嵌合するように「反転」させる。それぞれの半部は、３つのブレード２７Ａ、２７Ｂ、および２７Ｃを有する。第１の端部には、楕円孔３９を有する外側ループ３８がある。楕円孔３９は、楕円孔３９にはめ込むつまみ８４を受けることが可能である。楕円孔３９内のつまみ８４によって２つの半部を共に維持することができる。ミキサーの内部には、果実および粉末の混合を高めるためにブレード２７Ｂのうちの１つから延在する部分つまみ５５がある。１つの部分つまみ５５のみが示されているが、つまみ５５は複数のブレードから延在可能である。
【００３１】
図１１は、第５の好ましい実施形態におけるスポーツまたはウォーターボトル用ミキサーの分解組立図を示し、図１２は、第５の好ましい実施形態におけるスポーツまたはウォーターボトル用ミキサーの組立図を示す。この実施形態では、ミキサーの半部は同じものであり、片方の半部は、もう片方の半部に嵌合するように「反転」させる。それぞれの半部は、３つのブレード２８Ａ、２８Ｂ、および２８Ｃを有する。第１の端部には、楕円孔３９を有する外側ループ３８がある。楕円孔３９は、楕円孔３９にはめ込むつまみ８４を受けることが可能である。楕円孔３９内のつまみ８４によって２つの半部を共に維持することができる。ミキサーの内部には、果実および粉末の混合を高めるために１つのブレード２８Ｂの内部に沿って延在するつまみ５６がある。１つのつまみ５６のみが示されているが、つまみ５６は複数のブレードから延在可能である。
【００３２】
図１３Ａは、折り畳み可能配向におけるミキサーの一実施形態を示し、図１３Ｂは、折り畳まれた状態の図１３Ａによる実施形態を示す。これは、底部からヒンジ連結し４８かつ折り畳まれる１０５端部孔がない一体型折り畳み式実施形態であり、上部は、ミキサーの上部で楕円孔３９内に留められるつまみ８４を有する。この実施形態では、ミキサーは表面の全ての完全な清掃のために開放可能である。
【００３３】
図１４は、引っ掛け端部孔４０を有する完全体のミキサー１８Ａを示し、図１５は、平坦端部を有する完全体のミキサー１８Ｂを示す。これらの実施形態では、ミキサーのブレード２９は、中央ソリッドコア４９からから延在する。完全体のミキサーは、エラストマー材料から作られ、この場合、ブレード２９は、完全体のミキサーがボトルの狭い首部を通過できるようにするために内方に屈曲可能である。図１５に示される実施形態では、ブレード２９の外径はボトルの開口部より少しだけ大きく、完全体のミキサー１８Ｂはボトル開口部に手動で押し込まれ得るが、完全体のミキサー１８Ｂは、ボトルを反転させ、かつボトル開口部から完全体のミキサー１８Ｂを押し出すようにボトルに下方への衝撃を与えることによって、ボトルから取り外される。
【００３４】
図１６は、ミキサー撹拌器１９の筐体の分解組立図を示す。筐体は、特定の構成で示されるが、他の構成および形状も考えられる。筐体のこの構成では、筐体は、上筐体９１および下筐体９０を有する。容器は、２つの半部を共に留めるキャップに対してねじ山９３付き首部を有する。撹拌器１９の格納用の筐体における領域がある。さらに、粉末エネルギー飲料または可溶性錠剤の格納用の別個の容器がある。首部は、粉末用凹部８２内の粉末を一般的なウォーターボトルの開口部に流し込むことを可能にする漏斗８３として形成される。さらに、ボトルから撹拌器１９を取り外すための取り外しフック用の領域がある。容器は、さらなる格納領域を有し、かつ、例えば、ブドウのような皮付き果実を開くためにナイフまたは他の用具用の場所を含むことができる。これによって、人は、ジムに行く前に混合物を用意して、その後混合物を水またはエネルギー飲料に分散させることができる。
【００３５】
図１７は、細長い渦巻き型実施形態で構成される撹拌器１８を示す。この実施形態では、巻線状フレーム８９は、ループ８８を有する両端で終端する。本体の中央は、再生利用可能なウォーターボトルの内径より大きい直径を有する。この構成の螺旋型性質は、再生利用可能なウォーターボトルに詰め込みかつ適合させるために屈曲する。使用後、どちらか一方のループ８８をつかんで、再生利用可能なウォーターボトルの開口部を通して撹拌器１８を引き寄せる。ループ端部はまた、ユーザが容器内または外からワイヤーフレーム８９の撹拌器１８をねじ込むまたは抜くためのものである。撹拌器１８は好ましくは、ステンレス鋼または他のばね材料から作られるが、非金属材料から作られる可能性がある。
【００３６】
図１８は、ボトル１００による撹拌器の挿入および使用を示す。撹拌器１９は、ボトル１００の首開口部１０４の直径より大きく示されている。撹拌器１９は、ボトルの開口部に押し込まれ１０１、撹拌器１９の横ブレードは内方に押し込まれて１０２、撹拌器１９がボトル１００内に進入できるようにする。粉末または他の添加物を、撹拌器１９の前または後にボトル１００内に置くことができる。ボトル１００は、ボトル１００内の流体を旋回させる１０１ために、回転させる、旋回させる、または振動させる１０２。この運動によって、撹拌器１９Ａはボトルの壁に対して駆動し、撹拌器１９Ａは回動する。ボトル内の混合物をより均質にするために、ボトル１００内の粉末または他の材料を、混合させる、混ぜ合わせる、または細断する。撹拌器１９Ａの取り外しは、シャフト９５上のフック９６によって行われ、ここに示される端部は、撹拌器／ブレンダーを取り出すためにも使用可能であるループ９４を有する。フック９６は、首開口部に挿入させ、フック９６は、撹拌器１９Ａにおける孔に、または撹拌器１９Ａのブレードの周りで嵌合する。撹拌器１９Ａはさらにまた、取り外しまたは清掃のために首開口部１０４から引き出され得る、または今後の清掃のために容器に格納可能である。
【００３７】
図１９は、シェーカーカップの分解組立図を示し、図２０は、図１９によるシェーカーカップの断面図を示す。シェーカーカップは、下カップ部分１２０と、下カップ部分１２０上で差し込まれるまたは閉じられる、ねじ山を取り囲む蓋部分１２１とを含む。蓋部分１２１上の開口部は操作可能なキャップ部分１２２を受ける。
【００３８】
よって、スポーツまたはウォーターボトル用ミキサーの具体的な実施形態が開示されている。しかしながら、本明細書における本発明の概念から逸脱することなく、説明されるもの以外のさらに多くの修正が可能であることは当業者には明らかであるはずである。従って、本発明の主題は、添付の特許請求項の趣旨を除いて制限されるものではない。
【産業上の利用可能性】
【００３９】
産業上の利用可能性は、液体中の粉末を混ぜ合わせるためにボトルに対して挿入されかつ取り外されるように変形する混合装置に関する。
【符号の説明】
【００４０】
１８Ａ  完全体のミキサー
１８Ｂ  完全体のミキサー
１９  撹拌器
１９Ａ  旋回式撹拌器
２０  撹拌器シェル
２１〜２９  ブレード
３０〜３３  ループ
３４、３５  つまみ
３６〜４５  孔
３８  外側ループ
３９  楕円孔
４０〜４５  孔
４６、４７  つまみ
４８  ヒンジ
４９  ソリッドコア
５０  バラスト
５１〜５４  くぼみ
５５  部分つまみ
５６  全つまみ
５７  平坦端部
６０  第１の半部
６１  第２の半部
６５、６６  ブレード
７０  外径
７１  圧縮直径
８０  球体
８１  錠剤形部品
８２  粉末用凹部
８３  漏斗
８４  つまみ
８８  ループ
８９  フレーム
９０  下半部
９１  上半部
９２  キャップ
９３  ねじ山
９４  ループ
９５  シャフト
９６  フック
９７  撹拌器凹部
１００  ボトル
１０１  押す
１０２  折り畳む
１０３  振動させる
１０４  首開口部
１０５  折り畳む
１２０  下カップ部分
１２１  蓋部分
１２２  キャップ部分
【図１】
2021511898.tif 000003
【図２】
2021511898.tif 000004
【図３】
2021511898.tif 000005
【図４】
2021511898.tif 000006
【図５】
2021511898.tif 000007
【図６】
2021511898.tif 000008
【図６Ｂ】
2021511898.tif 000009
【図７】
2021511898.tif 000010
【図８】
2021511898.tif 000011
【図９】
2021511898.tif 000012
【図１０】
2021511898.tif 000013
【図１１】
2021511898.tif 000014
【図１２】
2021511898.tif 000015
【図１３Ａ】
2021511898.tif 000016
【図１３Ｂ】
2021511898.tif 000017
【図１４】
2021511898.tif 000018
【図１５】
2021511898.tif 000019
【図１６】
2021511898.tif 000020
【図１７】
2021511898.tif 000021
【図１８】
2021511898.tif 000022
【図１９】
2021511898.tif 000023
【図２０】
2021511898.tif 000024
【手続補正書】
【提出日】令和2年9月29日(2020.9.29)
【手続補正１】
【補正対象書類名】特許請求の範囲
【補正対象項目名】全文
【補正方法】変更
【補正の内容】
【特許請求の範囲】
【請求項１】
細長本体であって、前記細長本体は折り畳み式ヒンジ付き本体から形成され、前記折り畳み式ヒンジ付き本体のそれぞれの半部は、前記折り畳み式ヒンジ付き本体から延在する複数のブレードを有し、前記細長本体の第１の半部は第１の端部の孔を有し、前記細長本体の第２の半部はつまみを有し、前記細長本体が折り畳まれる時、前記つまみは前記孔に嵌合する、細長本体と、
狭い首部を有するボトルであって、前記複数のブレードは第１の直径を有しかつ内方に屈曲するように構成されることによって、前記第１の直径を、前記狭い首部より小さい第２の直径に縮小し、それによって、前記細長本体が前記ボトルの前記狭い首部を通過する際に前記複数のブレードが内方に屈曲できるようにし、かつ前記複数のブレードが前記ボトル内で拡張できるようにし、前記第１の直径は前記ボトルの内径より小さく、前記細長本体は、回転運動が前記ボトル内の流体に与えられる時、前記ボトル内で自由に回転するように構成される、ボトルと、を含む
ことを特徴とするミキサーボトル。
【請求項２】
前記細長本体は、取り外しフックが、前記ボトルの前記首部を通して前記細長本体を取り外すために少なくとも１つの前記孔に嵌合できるようにするように構成される少なくとも１つの開口部を有する
請求項１に記載のミキサーボトル。
【請求項３】
前記ブレードの少なくとも１つは、前記ブレードの内方または外方に延在する少なくとも１つのリブを有する
請求項１に記載のミキサーボトル。
【請求項４】
前記ボトル内の前記細長本体の回転によって、前記ボトル内の、粉末、固体、果実、および半固体を混ぜ合わせかつ粉砕する
請求項１に記載のミキサーボトル。
【請求項５】
前記細長本体は清掃のために展開される
請求項１に記載のミキサーボトル。
【請求項６】
前記細長本体は、前記細長本体内の移動が抑制されないバラストをさらに含む
請求項１に記載のミキサーボトル。
【請求項７】
前記複数のブレードは、前記細長本体の端部の間に延在する螺旋または曲線状構成で構成される
請求項１に記載のミキサーボトル。
【請求項８】
前記ボトルは、前記複数のブレードの外径より狭い注出口を有するユーザ提供ボトルである
請求項１に記載のミキサーボトル。
【請求項９】
細長本体であって、前記細長本体は２つの本質的に同一の本体半部から形成され、前記２つの本質的に同一の本体半部の第１の半部は、前記２つの本質的に同一の本体半部の前記第１の半部を前記２つの本質的に同一の本体半部の第２の半部に留めるために回転させ、前記２つの本質的に同一の本体半部のそれぞれは複数のブレードを有し、前記２つの本質的に同一の本体半部のそれぞれは、第１の端部の孔および第２の端部のつまみを有することによって、それぞれのつまみは、２つの本質的に同一の本体半部のそれぞれの対応する端部におけるそれぞれの孔に嵌合するように構成される、細長本体と、
狭い首部を有するボトルであって、前記複数のブレードは第１の直径を有しかつ内方に屈曲するように構成されることによって、前記第１の直径を、前記狭い首部より小さい第２の直径に縮小し、それによって、前記細長本体が前記ボトルの前記狭い首部を通過する際に前記複数のブレードが内方に屈曲できるようにし、かつ前記複数のブレードが前記ボトル内で拡張できるようにし、前記第１の直径は前記ボトルの内径より小さく、前記細長本体は、回転運動が前記ボトル内の流体に与えられる時、前記ボトル内で自由に回転するように構成される、ボトルと、を含む
ことを特徴とするミキサーボトル。
【請求項１０】
前記細長本体は、取り外しフックが、前記ボトルの前記首部を通して前記細長本体を取り外すために少なくとも１つの前記孔に嵌合できるようにするように構成される少なくとも１つの開口部を有する
請求項９に記載のミキサーボトル。
【請求項１１】
前記ブレードの少なくとも１つは、前記ブレードの内方または外方に延在する少なくとも１つのリブを有する
請求項９に記載のミキサーボトル。
【請求項１２】
前記ボトル内の前記細長本体の回転によって、前記ボトル内の、粉末、固体、果実、および半固体を混ぜ合わせかつ粉砕する
請求項９に記載のミキサーボトル。
【請求項１３】
前記細長本体は清掃のために分離可能である
請求項９に記載のミキサーボトル。
【請求項１４】
前記複数のブレードは、前記細長本体の端部の間に延在する螺旋または曲線状構成で構成される
請求項９に記載のミキサーボトル。
【請求項１５】
前記ボトルは、前記複数のブレードの外径より狭い注出口を有するユーザ提供ボトルである
請求項９に記載のミキサーボトル。
【手続補正２】
【補正対象書類名】明細書
【補正対象項目名】全文
【補正方法】変更
【補正の内容】
【発明の詳細な説明】
【技術分野】
【０００１】
関連出願の相互参照
本出願は、２０１８年６月１４日に出願された米国特許仮出願第６２／６８５，２２６号、２０１８年４月１６日に出願された米国特許仮出願第６２／６５８，３００号、２０１８年２月５日に出願された米国特許仮出願第６２／６２６，３２０号、２０１９年６月１８日に出願された米国特許出願第１６／４４４，３２４号、および、２０１９年３月１８日に出願された意匠出願第２９／６８３，９７１号の利益を主張する、２０１９年２月４日に出願された国際出願ＰＣＴ／ＵＳ１９／１６５５６号の利益を主張するものであり、これら出願の内容全体は参照により本明細書に明示的に組み込まれる。
【０００２】
本発明は、スポーツ飲料を混合させるための撹拌器の改善に関する。より詳細には、本発明のスポーツまたはウォーターボトル用のミキサーは、ウォーターボトルに挿入すると変形する変形可能な形状である。混合または撹拌後、ボトルにフックが挿入され、撹拌器は、ボトルから引き出される際に変形する。
【背景技術】
【０００３】
一般的なウォーターボトルおよびスポーツまたはウォーターボトルの使用は人気が出てきており、人々は、大量のボトルの水を使用し始めており、運動するまたは水源から離れる時に水または他の飲料を持って行く。これらの人々は、水または飲料に他の粉末状果実または他の材料を追加する時が多い。これらの追加された粉末または材料は、流体と混ぜ合わせるために混合させなければならない。ボトルを単に振動させると、粉末は流体に液化しないことが多く、多くの液果または果実添加物は、風味を出し、かつどろどろにして液体にするために、何らかの粉砕を必要とする。
【０００４】
いくつかの特許および／または刊行物では、これらの問題に対処している。この／これらの問題に対処しようとする、代表的な特許および／または刊行物の例は、以下に特定されかつ論じられている。
【０００５】
Ｒｏｂｅｒｔ  Ｄ．Ｖｅｒｎｏｎによる２００８年１０月２８日に発行された特許文献１は、「Ｓｈａｋｅｒ  ｗｉｔｈ  Ｒｅｃｉｐｒｏｃａｔｉｎｇ  Ａｇｉｔａｔｏｒ」という名称のものである。この特許は、混合液体容器を含む、往復動撹拌器を有する手持ち式シェーカーであって、混合液体容器は、液体容器の一端から液体容器の他端に及ぶガイドロッドを動作可能に含有する、手持ち式シェーカーを開示している。シェーカーはまた、液体容器の一端から他端まで動作可能に往復運動することによって、液体容器内に含有される流体を混合させる中空撹拌フレームを使用する。この特許品は、撹拌器が清掃のために取り外し可能であるように大きい開口部を必要とする。
【０００６】
２０１７年８月８日に発行された特許文献２は、「Ｄｅｖｉｃｅ，ａｒｒａｎｇｅｍｅｎｔ  ａｎｄ  ｍｅｔｈｏｄ  ｆｏｒ  ｔｅｘｔｕｒｉｚｉｎｇ  ａｎｄ  ａｅｒａｔｉｎｇ  ｄｒｉｎｋｓ」という名称のものである。この特許は、振り混ぜ容器と、容器の飲料中に置かれる装置とを含む、飲料を振り混ぜるための配置構成を開示している。容器を振動させる時、装置は飲料に対して口当たりを高めかつ空気を入れる。装置は、食品グレードの熱的に絶縁するエラストマー材料で構成される三次元体を有し、再利用可能である。容器はまた、装置の挿入および取り外しのために大きい開口部を必要とする。
【０００７】
Ｈｕｂｅｒｔ  Ｒｉｃｈａｒｄ  Ｋｅｅｌ，ＩＩＩによる特許文献３は、２０１４年１１月２０日に公告され、「Ａｇｉｔａｔｏｒ，Ｓｙｓｔｅｍ，ａｎｄ  Ｍｅｔｈｏｄ  ｆｏｒ  Ｕｓｉｎｇ  ｔｈｅ  Ｓａｍｅ」という名称のものである。この刊行物は、中心軸および非対称重量分布を有する本体と、それぞれが、シャフトおよび終端を有する複数のとげ状突起とを含む撹拌器であって、シャフトは本体から滑らかに移行し、本体およびとげ状突起は、撹拌器を、粉末および液体媒体を含有する液体容器において振動させる時に混合を高めるように適応される。撹拌器は、大きなカップ状開口部を通して挿入されなければならない。
【０００８】
Ｄａｖｉｄ  Ａ．Ａｌｉｂｅｒｔｉによる特許文献４は、２０１４年８月２１日に公告され、「Ｄｒｉｎｋ  ｍｉｘｅｒ  ｂｏｔｔｌｅ  ａｎｄ  ａｇｉｔａｔｏｒ」という名称のものである。この刊行物は、液体容器および撹拌器を含むシェーカーを開示している。液体容器は器壁を含む。円形底部は、器壁を閉ざし、この場合、底部の境界は、底部が器壁から外方にドーム状になるように移行するように液体容器の中心軸に向かって放射状に形成される。この刊行物はまた、開口部を通して適合するように歪ませる要素を有さず、小さなボトル開口部を通して置くことができない。
【０００９】
必要とされているのは、一般的なウォーターまたはスポーツボトルに対して挿入できかつ引っ張り出すことができ、かつボトルから引っ張り出すことができる、スポーツまたはウォーターボトル用ミキサーである。ミキサーはまた、ボトルに追加可能であるある分量の粉末を含むように容器に入れられるものとする。提案された、スポーツボトル用ミキサーによって解決策が提供される。
【先行技術文献】
【特許文献】
【００１０】
【特許文献１】米国特許出願第７，４４１，９４１号
【特許文献２】米国特許出願第９，７２３，９５６号
【特許文献３】米国特許出願公開第２０１４０３４０９７９号
【特許文献４】米国特許出願公開第２０１４０２３３３４４号
【発明の概要】
【課題を解決するための手段】
【００１１】
スポーツまたはウォーターボトル用ミキサーの目的は、ミキサーが一般的なボトル開口部内に適合できるように屈曲する側部要素を有する中心体を有することである。ボトルウォーターのほとんどの開口部はかなり小さいため、撹拌器またはミキサーは、開口部に進入させるために歪ませてから、内部に一旦入ると拡張させなければならない。これは、挿入時に内方に屈曲または湾曲させた後、ボトルの首部を一旦通過すると拡張する２つ以上の屈曲ブレードによって最も良く成し遂げられる。
【００１２】
スポーツまたはウォーターボトル用ミキサーの目的は、ミキサーが、細長いフットボール形状を有することである。細長形状によって、ミキサーはボトル内で配向を有することができる。この配向によって、浮力が、典型的には、液体の表面上に浮かぶ粉末または果実を砕くようにミキサーを配向させることを可能にする。側部要素は、果実を切り分け、かつ粉砕して材料（複数可）を混ぜ合わせることができる。細長いフットボール形状は、混ぜ合わせることおよび撹拌することを高めるために、ボトルの側壁とこすり合わせることができる。
【００１３】
スポーツまたはウォーターボトル用ミキサーの別の目的は、任意の重みを含むことである。この重みによって、嵩を増して果実を圧砕し、かつこの重みを使用して、ミキサーの総密度を変えて、ミキサーを液体中により深く沈ませることができる。これはまた、空のボトルを振動させる必要なくボトルからミキサーを今後取り外すためにミキサーを所望の配向のままにするのに役立つ可能性がある。
【００１４】
スポーツまたはウォーターボトル用ミキサーの別の目的は、ミキサーの保持具またはケースを含むことである。保持具によって、ミキサーの容器を乾燥させ、さらに、ミキサーから集水できる。保持具はさらに、１杯または複数杯の粉末状エネルギー飲料混合物用の領域をさらに含むことができ、かつ、他の用具または付属品用の領域をさらに含むことができる。他の付属品は、果実を切り開くまたは外皮を取り除くためのナイフまたは他の物体とすることができる。
【００１５】
スポーツまたはウォーターボトル用ミキサーのさらなる別の目的は、ケースが取り外しフックを含むことである。取り外しフックによって、ユーザは、フックをボトルに挿入し、かつ端部または側部要素のうちの１つにひっかかるようにすることができる。ミキサーの側部屈曲要素は、内方に湾曲してミキサーがボトルの首部から外に通過するようにする。留められると、ミキサーはボトルから引っ張り出されて、ミキサーは、いずれの流体または残留物も取り除くために洗浄可能である。取り外しフックはまた、構成部品を清掃するために保持具と共に洗浄可能である。
【００１６】
本発明のさまざまな目的、特徴、態様、および利点は、同様の数表示は同様の構成要素を表す添付の図面と共に、本発明の好ましい実施形態の以下の詳細な説明からより明らかとなる。
【図面の簡単な説明】
【００１７】
【図１】内部バラストを有する、第１の好ましい実施形態におけるスポーツまたはウォーターボトル用ミキサーを示す図である。
【図２】内部バラストを有さない、第１の好ましい実施形態におけるスポーツまたはウォーターボトル用ミキサーを示す図である。
【図３】内部バラストを示す図である。
【図４】第２の好ましい実施形態におけるスポーツまたはウォーターボトル用ミキサーの分解組立図である。
【図５】バラストを有する、第２の好ましい実施形態におけるスポーツまたはウォーターボトル用ミキサーの組立図である。
【図６】バラストを有さない、第２の好ましい実施形態におけるスポーツまたはウォーターボトル用ミキサーの組立図である。
【図６Ｂ】端部孔がない一体型折り畳み式実施形態を示す図である。
【図７】第３の好ましい実施形態におけるスポーツまたはウォーターボトル用ミキサーの分解組立図である。
【図８】バラストを有する第３の好ましい実施形態におけるスポーツまたはウォーターボトル用ミキサーの組立図である。
【図９】第４の好ましい実施形態におけるスポーツまたはウォーターボトル用ミキサーの分解組立図である。
【図１０】バラストを有する第４の好ましい実施形態におけるスポーツまたはウォーターボトル用ミキサーの組立図である。
【図１１】第５の好ましい実施形態におけるスポーツまたはウォーターボトル用ミキサーの分解組立図である。
【図１２】バラストを有する第５の好ましい実施形態におけるスポーツまたはウォーターボトル用ミキサーの組立図である。
【図１３Ａ】折り畳み可能配向におけるミキサーの一実施形態を示す図である。
【図１３Ｂ】折り畳まれた状態の図１３Ａによる実施形態を示す図である。
【図１４】端部孔を有する完全体のミキサーを示す図である。
【図１５】平坦端部を有する完全体のミキサーを示す図である。
【図１６】ミキサーの筐体の分解組立図である。
【図１７】細長い渦巻き型実施形態で構成される撹拌器を示す図である。
【図１８】ボトルによる撹拌器の挿入および使用を示す図である。
【図１９】シェーカーカップの分解組立図である。
【図２０】図１９によるシェーカーカップの断面図である。
【発明を実施するための形態】
【００１８】
全般的に本明細書において、説明されかつ図面に示されるような、本発明の構成要素が、多種多様の種々の構成で配置かつ設計可能であることは、容易に理解される。よって、図面に表されるような、本発明のシステムおよび方法の実施形態の以下のより詳細な説明は、本発明の範囲を限定することを意図するものではなく、単に、本発明のさまざまな実施形態を代表するものである。本発明の示された実施形態は、全体を通して同様の部品が同様の数表示によって指定される図面を参照することによって理解される。
【００１９】
図１は、内部バラスト５０を有する第１の好ましい実施形態におけるスポーツまたはウォーターボトル用ミキサー撹拌器１９を示す。撹拌器１９のこの実施形態は、螺旋ブレード２１、２２、２３、２４、および２５によって組み立てられる。螺旋ブレードは、ボトルにおける粉末状添加物を混合させるように動作する。撹拌器１９の回転方向に応じて、撹拌器１９は、ボトル内で、流体内により深く駆動され得る、または流体の上面へと駆動され得る。駆動方向は、流体または空気中でのプロペラとしての回転に基づいている。ブレードはまた、液果などの果実を砕いて、風味を分布させかつどろどろにして流体にするための細断力をもたらすことができる。ブレードの断面は、鋭利な先端をもたらすようにさらに調節可能であり、撹拌器１９の中央内または中央外に流体を駆動することができる。この図では、バラスト５０は撹拌器１９に挿入される。バラストは、撹拌器１９を、容器の流体中により高く浮かせる、または流体または底部に沈ませるために撹拌器１９の浮力を変えることができる。撹拌器１９の外径７０は、一般的なウォーターボトルの開口部より大きい。
【００２０】
撹拌器１９を一般的なウォーターボトルに挿入するために、螺旋ブレード２１、２２、２３、２４、および２５は、撹拌器１９が一般的なボトルの開口部に押し込まれる際に屈曲する。撹拌器１９は一般的なウォーターボトルに適合するように構成されるが、撹拌器１９は、粉末または果実を混合させるために、クラス、カップ、または他の容器で使用可能である。バラスト５０の材料は、上記のミキサー撹拌器２０の少なくとも一部分を水体の上面より上に浮かせることができるように選択される。理想的な密度は約０．８〜１．５とすることができるが、バラスト５０およびミキサー撹拌器２０のアセンブリから所望される、所望の浮きまたは沈みに応じて、１．０を上回るまたは下回る他の密度も考えられる。
【００２１】
撹拌器１９のそれぞれの端部は、孔４０および４１をそれぞれ有するループ３０および３１を有する。撹拌器１９を抜き取るために、フックまたは他の用品は、一般的なボトルの首部に挿入され、フックは孔４０または４１に嵌合することで、撹拌器１９は、撹拌器１９の洗浄または清掃のためにウォーターボトル開口部から引き出し可能である。バラスト５０は、バラストが別個に清掃可能であるブレードからバラスト５０を押し出すことによって、撹拌器１９から取り外し可能である。
【００２２】
フックを使用することによる撹拌器１９の取り外しについて説明されているが、撹拌器１９が、ボトルを反転させ、かつ容器に振動を与えることで、撹拌器１９が変形してボトル開口部を通過することによって、取り外し可能であることも考えられる。
【００２３】
図２は、内部バラストを有さない、第１の好ましい実施形態におけるスポーツまたはウォーターボトル用ミキサー撹拌器２０を示す。バラストの使用または必要性は、ユーザの必要性および混合される材料に基づいて、個々に判断可能である。バラストがないと、流体は撹拌器２０をより容易に流れることができる。この図では、６つのブレード２１、２２、２３、２４、２５、および２６全てが螺旋状に示されている。６つのブレードが示されているが、わずか３つから６つよりもずっと多くのブレードが考えられる。最低３つのブレードを提供して回転中心を均衡化させる。螺旋状または曲線状のブレード（複数可）が回転中心の周りで対称性を維持するように単一のブレードまたは２つのブレードが使用可能であることがさらに考えられる。ミキサー撹拌器２０の材料は、上記のミキサー撹拌器２０の少なくとも一部分を、水体の上面より上に浮かせることができるように選択される。理想的な密度は約０．５〜０．９であり得るが、１．０を上回るまたは下回る他の密度が考えられる。
【００２４】
ループ３０および３１は、一般的なボトルの首部および端部開口部からの撹拌器２０の取り外しを可能にするために孔３０および３１と共に撹拌器２０の細長い端部にある。一般的なボトルが論じられているが、該ボトルは、撹拌器２０の外径より直径が大きい摂取用開口部または首部を有する、任意の、水、エネルギー飲料、炭酸、非炭酸、エネルギー飲料、またはその他の強化ボトルとすることができる。
【００２５】
図３は内部バラスト５０を示す。先に論じたように、内部バラスト５０はユーザの要件または要望に応じて任意に使用可能である。内部バラスト５０は、この図に示されるように、球体または立方体のような単純なものからより複雑な形状のものとすることができる。ここで示される内部バラスト５０は、撹拌器内で、撹拌器の周りで、および撹拌器を通して、液体、固体、粉末、および半固体が流れるように、混合および撹拌を高める複数のくぼみ５１、５２、５３、および５４を有する。ここで示される形状はまた、撹拌器内でこの配向を維持する細長形状である。丸形または他の形状は、撹拌器フレーム内の３つの回転方向全てにおいて自由に回転するように構成可能である。
【００２６】
図４は、第２の好ましい実施形態におけるスポーツまたはウォーターボトル用ミキサーの分解組立図を示し、図５は、バラストを有する、第２の好ましい実施形態におけるスポーツまたはウォーターボトル用ミキサーの組立図を示し、図６は、バラストを有さない、第２の好ましい実施形態におけるスポーツまたはウォーターボトル用ミキサーの組立図を示す。撹拌器のこの構成は、基本的に、２つの半部６０および６１から形成される６つのブレードを有し、それぞれの半部は３つのブレードをそれぞれ有する。この実施形態におけるバラストは、撹拌器内で自由に移動できる丸い球体８０である。ブレードは基本的に、２つのループ３２および３３から延在するように直線状である。２つのループのそれぞれは、２つの半部６０および６１を通って延在する孔４２および４３を有する。孔によって、撹拌器を、ボトルの開口部を通して引っ掛けかつ引っ張ることが可能である。この実施形態では、半部６０および６１は、分離可能であり、球体は取り外し可能であるため、撹拌器は、球体８０またはバラストがあってもなくても使用可能である。球体８０は丸い球体として示されているが、球体は、本明細書における他の図に示されるようにさまざまな形を取ることができる。球体８０は、球体を、撹拌器の上部で浮かせるまたは撹拌器の底部に沈ませることができるように、撹拌器フレームと異なる浮力を有することができる。
【００２７】
図６Ｂは、底部および上部からのヒンジ４８がミキサーの上部において楕円孔３９内に留められるつまみ８４を有する、端部孔がない一体型折り畳み式実施形態を示す。この実施形態では、ミキサーは、表面の全ての完全な清掃のために開放され得る。
【００２８】
図７は、第３の好ましい実施形態におけるスポーツまたはウォーターボトル用ミキサーの分解組立図を示し、図８は、バラストを有する第３の好ましい実施形態におけるスポーツまたはウォーターボトル用ミキサーの組立図を示す。撹拌器のこの構成はまた、２つの半部６５および６６から形成される６つのブレードを有し、それぞれの半部は３つのブレードをそれぞれ有する。この実施形態におけるバラストは、撹拌器内で上下に自由に移動することができる長円形シリンダー８１である。ブレードは、２つのつまみ３４および３５から延在するように基本的に直線状である。２つのループのそれぞれは、２つの半部６５および６６を通って延在する孔４６および４７を有する。孔によって、撹拌器はボトルの開口部を通して引っ掛けられかつ引っ張られることが可能である。この実施形態では、半部６５および６６は分離可能であり、球体は取り外されるため、撹拌器は、長円形シリンダー８１またはバラストと共にまたはこれなしで使用可能である。
【００２９】
バラスト８１は長円形シリンダーとして示されているが、シリンダーは本明細書における他の図に示されるようにさまざまな形を取ることができる。長円形シリンダー８１は、バラストを、撹拌器の上部で浮かせるまたは撹拌器の底部に沈ませることができるように、撹拌器フレームと異なる浮力を有することができる。この図は、２つの半部を共に維持し、かつ２つの半部６５および６６をより容易に分離可能にする孔４４および４５に適合させかつ設置するつまみ３４および３５を示す。
【００３０】
図９は、第４の好ましい実施形態におけるスポーツまたはウォーターボトル用ミキサーの分解組立図を示し、図１０は、第４の好ましい実施形態におけるスポーツまたはウォーターボトル用ミキサーの組立図を示す。この実施形態では、ミキサーの半部は同じものであるまたは本質的に同じであり、片方の半部は、もう片方の半部に嵌合するように「反転」または回転させる。それぞれの半部は、３つのブレード２７Ａ、２７Ｂ、および２７Ｃを有する。第１の端部には、第１の端部の楕円孔３９を有する外側ループ３８がある。楕円孔３９は、楕円孔３９にはめ込むまたは嵌合する第２の端部のつまみ８４を受けることが可能である。楕円孔３９内のつまみ８４によって２つの半部を共に維持することができる。ミキサーの内部には、果実および粉末の混合を高めるためにブレード２７Ｂのうちの１つから延在する部分つまみ５５がある。１つの部分つまみ５５のみが示されているが、つまみ５５は複数のブレードから延在可能である。
【００３１】
図１１は、第５の好ましい実施形態におけるスポーツまたはウォーターボトル用ミキサーの分解組立図を示し、図１２は、第５の好ましい実施形態におけるスポーツまたはウォーターボトル用ミキサーの組立図を示す。この実施形態では、ミキサーの半部は同じものであり、片方の半部は、もう片方の半部に嵌合するように「反転」させる。それぞれの半部は、３つのブレード２８Ａ、２８Ｂ、および２８Ｃを有する。第１の端部には、楕円孔３９を有する外側ループ３８がある。楕円孔３９は、楕円孔３９にはめ込むつまみ８４を受けることが可能である。楕円孔３９内のつまみ８４によって２つの半部を共に維持することができる。ミキサーの内部には、果実および粉末の混合を高めるために１つのブレード２８Ｂの内部に沿って延在するつまみ５６がある。１つのつまみ５６のみが示されているが、つまみ５６は複数のブレードから延在可能である。
【００３２】
図１３Ａは、折り畳み可能配向におけるミキサーの一実施形態を示し、図１３Ｂは、折り畳まれた状態の図１３Ａによる実施形態を示す。これは、底部からヒンジ連結し４８かつ折り畳まれる１０５端部孔がない一体型折り畳み式実施形態であり、上部は、ミキサーの上部で楕円孔３９内に留められるつまみ８４を有する。この実施形態では、ミキサーは表面の全ての完全な清掃のために開放可能である。
【００３３】
図１４は、引っ掛け端部孔４０を有する完全体のミキサー１８Ａを示し、図１５は、平坦端部を有する完全体のミキサー１８Ｂを示す。これらの実施形態では、ミキサーのブレード２９は、中央ソリッドコア４９からから延在する。完全体のミキサーは、エラストマー材料から作られ、この場合、ブレード２９は、完全体のミキサーがボトルの狭い首部を通過できるようにするために内方に屈曲可能である。図１５に示される実施形態では、ブレード２９の外径はボトルの開口部より少しだけ大きく、完全体のミキサー１８Ｂはボトル開口部に手動で押し込まれ得るが、完全体のミキサー１８Ｂは、ボトルを反転させ、かつボトル開口部から完全体のミキサー１８Ｂを押し出すようにボトルに下方への衝撃を与えることによって、ボトルから取り外される。
【００３４】
図１６は、ミキサー撹拌器１９の筐体の分解組立図を示す。筐体は、特定の構成で示されるが、他の構成および形状も考えられる。筐体のこの構成では、筐体は、上筐体９１および下筐体９０を有する。容器は、２つの半部を共に留めるキャップに対してねじ山９３付き首部を有する。撹拌器１９の格納用の筐体における領域がある。さらに、粉末エネルギー飲料または可溶性錠剤の格納用の別個の容器がある。首部は、粉末用凹部８２内の粉末を一般的なウォーターボトルの開口部に流し込むことを可能にする漏斗８３として形成される。さらに、ボトルから撹拌器１９を取り外すための取り外しフック用の領域がある。容器は、さらなる格納領域を有し、かつ、例えば、ブドウのような皮付き果実を開くためにナイフまたは他の用具用の場所を含むことができる。これによって、人は、ジムに行く前に混合物を用意して、その後混合物を水またはエネルギー飲料に分散させることができる。
【００３５】
図１７は、細長い渦巻き型実施形態で構成される撹拌器１８を示す。この実施形態では、巻線状フレーム８９は、ループ８８を有する両端で終端する。本体の中央は、再生利用可能なウォーターボトルの内径より大きい直径を有する。この構成の螺旋型性質は、再生利用可能なウォーターボトルに詰め込みかつ適合させるために屈曲する。使用後、どちらか一方のループ８８をつかんで、再生利用可能なウォーターボトルの開口部を通して撹拌器１８を引き寄せる。ループ端部はまた、ユーザが容器内または外からワイヤーフレーム８９の撹拌器１８をねじ込むまたは抜くためのものである。撹拌器１８は好ましくは、ステンレス鋼または他のばね材料から作られるが、非金属材料から作られる可能性がある。
【００３６】
図１８は、ボトル１００による撹拌器の挿入および使用を示す。撹拌器１９は、ボトル１００の首開口部１０４の直径より大きく示されている。撹拌器１９は、ボトルの開口部に押し込まれ１０１、撹拌器１９の横ブレードは内方に押し込まれて１０２、撹拌器１９がボトル１００内に進入できるようにする。粉末または他の添加物を、撹拌器１９の前または後にボトル１００内に置くことができる。ボトル１００は、ボトル１００内の流体を旋回させる１０１ために、回転させる、旋回させる、または振動させる１０２。この運動によって、撹拌器１９Ａはボトルの壁に対して駆動し、撹拌器１９Ａは回動する。ボトル内の混合物をより均質にするために、ボトル１００内の粉末または他の材料を、混合させる、混ぜ合わせる、または細断する。撹拌器１９Ａの取り外しは、シャフト９５上のフック９６によって行われ、ここに示される端部は、撹拌器／ブレンダーを取り出すためにも使用可能であるループ９４を有する。フック９６は、首開口部に挿入させ、フック９６は、撹拌器１９Ａにおける孔に、または撹拌器１９Ａのブレードの周りで嵌合する。撹拌器１９Ａはさらにまた、取り外しまたは清掃のために首開口部１０４から引き出され得る、または今後の清掃のために容器に格納可能である。
【００３７】
図１９は、シェーカーカップの分解組立図を示し、図２０は、図１９によるシェーカーカップの断面図を示す。シェーカーカップは、下カップ部分１２０と、下カップ部分１２０上で差し込まれるまたは閉じられる、ねじ山を取り囲む蓋部分１２１とを含む。蓋部分１２１上の開口部は操作可能なキャップ部分１２２を受ける。
【００３８】
よって、スポーツまたはウォーターボトル用ミキサーの具体的な実施形態が開示されている。しかしながら、本明細書における本発明の概念から逸脱することなく、説明されるもの以外のさらに多くの修正が可能であることは当業者には明らかである。従って、本発明の主題は、添付の特許請求項の趣旨を除いて制限されるものではない。
【産業上の利用可能性】
【００３９】
産業上の利用可能性は、液体中の粉末を混ぜ合わせるためにボトルに対して挿入されかつ取り外されるように変形する混合装置に関する。
【符号の説明】
【００４０】
１８  撹拌器
１９  撹拌器
１９Ａ  旋回式撹拌器
２０  撹拌器シェル
２１〜２９  ブレード
３０〜３３  ループ
３４、３５  つまみ
３６〜４５  孔
３８  外側ループ
３９  楕円孔
４０〜４５  孔
４６、４７  つまみ
４８  ヒンジ
４９  ソリッドコア
５０  バラスト
５１〜５４  くぼみ
５５  部分つまみ
５６  全つまみ
５７  平坦端部
６０  第１の半部
６１  第２の半部
６５、６６  ブレード
７０  外径
７１  圧縮直径
８０  球体
８１  錠剤形部品
８２  粉末用凹部
８３  漏斗
８４  つまみ
８８  ループ
８９  フレーム
９０  下半部
９１  上半部
９２  キャップ
９３  ねじ山
９４  ループ
９５  シャフト
９６  フック
９７  撹拌器凹部
１００  ボトル
１０１  押す
１０２  折り畳む
１０３  振動させる
１０４  首開口部
１２０  下カップ部分
１２１  蓋部分
１２２  キャップ部分
【国際調査報告】
2021511898.tif 000025